(57)【要約】【課題】より詳細乃至は多様な特徴情報に対応した補正フィルタ係数を適用することによって好適な画像を得る。【解決手段】フィルタ作成装置１１０は、画像種別情報とは異なる、画像データに関する特徴情報を抽出する特徴情報抽出管理部１１１と、特徴情報に対応するパラメータであって、基準フィルタ１０６１のフィルタ係数が関連する基本補正用パラメータ及び補正フィルタ係数に関連する補正用パラメータを設定部１１４〜１１６に設定する特徴情報抽出管理部１１１及びフィルタ基本情報記憶部１１２と、設定部１１４〜１１６に設定された基本補正用パラメータ及び補正用パラメータを用いて補正フィルタ係数を算出する補正フィルタ係数計算部１１７とを備えた。【選択図】図３
2016054457.tif 000002
【特許請求の範囲】
【請求項１】
画像種別情報に応じて画像データを空間処理する基準フィルタに、補正フィルタ係数を適用するためのフィルタ作成装置であって、
前記画像種別情報とは異なる、前記画像データに関する特徴情報を抽出する抽出手段と、
前記特徴情報に対応するパラメータであって、前記基準フィルタのフィルタ係数が関連する基本補正用パラメータ及び前記補正フィルタ係数に関連する補正用パラメータを設定部に設定する設定処理手段と、
前記設定部に設定された前記基本補正用パラメータ及び前記補正用パラメータを用いて補正フィルタ係数を算出する補正フィルタ係数計算手段とを備えたフィルタ作成装置。
【請求項２】
前記設定処理手段は、前記補正用パラメータを、第１の方向と、前記第１の方向と直交する第２の方向とに対してそれぞれ設定するものである請求項１に記載のフィルタ作成装置。
【請求項３】
前記画像データを処理する補正フィルタと、前記基準フィルタと前記補正フィルタの出力を合成する画像合成手段とを備え、前記補正フィルタに前記補正フィルタ係数計算手段で算出された補正フィルタ係数を設定することを特徴とする請求項１又は２に記載のフィルタ作成装置。
【請求項４】
前記補正フィルタは、前記基準フィルタと同一又は大きなサイズを有することを特徴とする請求項３に記載のフィルタ作成装置。
【請求項５】
前記基準フィルタのフィルタ係数に前記補正フィルタ係数計算手段で算出された補正フィルタ係数を足し合わせるフィルタ合成手段を備えたことを特徴とする請求項１又は２に記載のフィルタ作成装置。
【請求項６】
前記設定処理手段は、前記特徴情報に応じて、前記基本補正用パラメータ及び前記補正用パラメータの設定を禁止することを特徴とする請求項１〜５のいずれかに記載のフィルタ作成装置。
【請求項７】
請求項１〜６のいずれかに記載のフィルタ作成装置を備えた画像形成装置。
【請求項８】
画像種別情報に応じて画像データを空間処理する基準フィルタに、コンピュータによって算出された補正フィルタ係数を適用するプログラムであって、
前記画像種別情報とは異なる前記画像データに関する特徴情報を抽出する抽出手段、
前記特徴情報に対応するパラメータであって、前記基準フィルタのフィルタ係数が関連する基本補正用パラメータ及び前記補正フィルタ係数に関連する補正用パラメータを設定部に設定する設定処理手段、
前記設定部に設定された前記基本補正用パラメータ及び前記補正用パラメータを用いて補正フィルタ係数を算出する補正フィルタ係数計算手段として、前記コンピュータを機能させるプログラム。
【発明の詳細な説明】
【技術分野】
【０００１】
本発明は、画像データに適用されるデジタルフィルタの作成技術に関する。
【背景技術】
【０００２】
従来、原稿の画像データに対して原稿種別処理、及び種別に応じた領域分離処理を施し、文字、網点、その他の写真種別等に対応した好適なデジタルフィルタを適用して再現性の高い画像を印刷出力する画像形成装置が知られている。一方、近年では原稿を読み取るスキャナのスキャナ速度が選択可能な画像形成装置が知られており、この種の装置においては、読み取った画像の解像度が、指定されたスキャナ速度に応じて異なることから、スキャナ速度に見合うデジタルフィルタを適用して再現性を高めることが望まれる。また、印字倍率が任意に設定可能な装置の場合にも、印字倍率に見合うデジタルフィルタを適用することが望まれる。
【０００３】
特許文献１には、定型変倍率に相当するフィルタ係数のみを予め設定し、それ以外の倍率条件では空間周波数成分での演算を経由してその倍率条件に最適なフィルタを作成する画像形成装置が記載されている。特許文献２には、縦方向と横方向とで異なる倍率が指定された場合に、縦横の各倍率条件に応じて予め記憶手段に記憶されたフィルタ係数のうちから所定のフィルタ係数を選択し、選択したフィルタ係数を補間して縦横の各フィルタ係数を得、１つのフィルタに合成した後に、画像データにフィルタ処理を施す画像形成装置が記載されている。これによって、縦横の倍率が変更された場合でも、急激に画質が変化するのを防止するようにしている。
【先行技術文献】
【特許文献】
【０００４】
【特許文献１】特開２００９−２６７８３５号公報
【特許文献２】特開平１１−３４１２７３号公報
【発明の概要】
【発明が解決しようとする課題】
【０００５】
特許文献１，２に記載の画像形成装置は、主走査方向及び副走査方向に対して夫々倍率条件が異なる場合に、基本的な倍率について予め準備されているフィルタ係数を参考にして、縦横の倍率条件に対応したフィルタ係数を有する１つのデジタルフィルタを作成するものである。また、特許文献１に記載の画像形成装置は、演算量が多く、かつ空間周波数成分からフィルタ係数に逆変換する際に誤差やバグ等が発生する虞がある。
【０００６】
また、前述したように、スキャン速度、解像度及び変倍率等の各条件に対応して再現性の高い画像を得るためには、それらの条件に対応する数のデジタルフィルタを備えることが必要となるが、その場合、各デジタルフィルタを格納する記憶容量が増大し、また、その設計処理や管理処理、特に画像処理時の適用処理が煩雑化する。
【０００７】
本発明は、上記に鑑みてなされたもので、基準フィルタの効果を維持しつつ、より詳細乃至は多様な特徴情報に対応した補正フィルタ係数を適用することによって好適な画像を得ることのできるフィルタ作成装置、画像形成装置及びプログラムを提供するものである。
【課題を解決するための手段】
【０００８】
本発明は、画像種別情報に応じて画像データを空間処理する基準フィルタに、補正フィルタ係数を適用するためのフィルタ作成装置であって、前記画像種別情報とは異なる、前記画像データに関する特徴情報を抽出する抽出手段と、前記特徴情報に対応するパラメータであって、前記基準フィルタのフィルタ係数が関連する基本補正用パラメータ及び前記補正フィルタ係数に関連する補正用パラメータを設定部に設定する設定処理手段と、前記設定部に設定された前記基本補正用パラメータ及び前記補正用パラメータを用いて補正フィルタ係数を算出する補正フィルタ係数計算手段とを備えたものである。
【０００９】
本発明によれば、抽出手段によって、画像種別情報とは異なる、前記画像データに関する、詳細乃至は多様な情報である、変倍率、解像度、モアレ低減、網点（スクリーン）の線数、文字のサイズ及びシャープネスのうちの少なくとも１つ以上の特徴情報が抽出される。設定処理手段によって、抽出された特徴情報に対応するパラメータであって、基準フィルタのフィルタ係数が関連する基本補正用パラメータ及び補正フィルタ係数に関連する補正用パラメータが設定部に設定される。そして、補正フィルタ係数計算手段によって、前記設定部に設定された基本補正用パラメータ及び補正用パラメータを用いて補正フィルタ係数が算出される。従って、全ての種類のフィルタ係数情報を記憶している態様に比して、情報量は比較的少なくて済む。また、基準フィルタの効果を維持しつつ、特徴情報に対応した補正フィルタ係数を適用することによって、主に鮮鋭度・モアレ・ぼやけ等が抑制された画像が出力される。
【００１０】
また、前記設定処理手段は、前記補正用パラメータを、第１の方向と、前記第１の方向と直交する第２の方向とに対してそれぞれ設定するものである。この構成によれば、補正フィルタ係数を第１、第２の方向に対して個々に設定することが可能となる。
【００１１】
また、前記画像データを処理する補正フィルタと、前記基準フィルタと前記補正フィルタの出力を合成する画像合成手段とを備え、前記補正フィルタに前記補正フィルタ係数計算手段で算出された補正フィルタ係数を設定することを特徴とするものである。この構成によれば、各フィルタに対してフィルタ係数を設定するので、設定処理が容易となる。
【００１２】
また、前記補正フィルタは、前記基準フィルタと同一又は大きなサイズを有することを特徴とするものである。この構成によれば、詳細乃至は多様な特徴情報に対応する補正フィルタを生成することが可能となる。
【００１３】
また、前記基準フィルタのフィルタ係数に前記補正フィルタ係数計算手段で算出された補正フィルタ係数を足し合わせるフィルタ合成手段を備えたことを特徴とするものである。この構成によれば、フィルタが１つで済むため、回路構成が簡易となる。
【００１４】
また、前記設定処理手段は、前記特徴情報に応じて、前記基本補正用パラメータ及び前記補正用パラメータの設定を禁止することを特徴とするものである。この構成によれば、必要でない場合には補正フィルタの設定が禁止され、不要な処理が減る。
【００１５】
また、本発明は、請求項１〜６のいずれかに記載のフィルタ作成装置を備えた画像形成装置である。本発明によれば、この構成によれば、画像データの特徴情報に対応して、主に鮮鋭度・モアレ・ぼやけ等が抑制された出力画像を得ることが可能な画像形成装置が提供できる。
【発明の効果】
【００１６】
本発明によれば、より詳細乃至は多様な特徴情報に対応した補正フィルタ係数を適用することによって好適な画像を得ることができる。
【図面の簡単な説明】
【００１７】
【図１】本発明に係る画像形成装置の正面断面図である。
【図２】画像処理部の回路構成図である。
【図３】第１実施形態に係るフィルタ作成部及びフィルタ処理部の回路構成である。
【図４】フィルタの行列の要素位置を説明する図で、（ａ）は基準フィルタ、（ｂ）は補正フィルタである。
【図５】（ａ）は補正フィルタを作成するための基本補正用パラメータ及び縦横の補正用パラメータの一例を説明するための図で、（ｂ）は、周波数と強度との関係を示す特性図である。
【図６】補正フィルタ係数の計算手順を示すフローチャートである。
【図７】第２実施形態に係るフィルタ作成部及びフィルタ処理部の回路構成である。
【図８】補正なし、補正小、補正大の場合のフィルタ特性図で、（ａ）は横軸が周波数の場合、（ｂ）は横軸が周波数相当の場合である。
【図９】３行３列の基準フィルタを示す図である。
【図１０】（ａ）は７行７列の補正フィルタの補正強度Ｆを説明する図で、（ｂ）は、縦横方向の周波数及び周波数相当値Ｗx，Ｗy，Ｃx，Ｃyを示す図である。
【図１１】（ａ）は行列Ｔとその逆行列を示す図、（ｂ）は第１、第２の方向（縦横方向）の周波数、周波数相当を示す図である。
【図１２】補正小の場合における補正フィルタ係数の計算手順を説明する図である。
【図１３】補正小の場合における補正フィルタ係数の計算手順を説明する図である。
【図１４】（ａ）は補正フィルタの補正強度Ｆを示す図、（ｂ）は縦横方向の周波数及び周波数相当値Ｗx，Ｗy，Ｃx，Ｃyを示す図である。
【図１５】補正大の場合における補正フィルタ係数の計算手順を説明する図である。
【図１６】補正大の場合における補正フィルタ係数の計算手順を説明する図である。
【図１７】基準フィルタが７行７列の場合を説明する図である。
【発明を実施するための形態】
【００１８】
図１に示す画像形成装置は、画像形成部１０、中間転写部２０、二次転写部３０、定着部４０、給紙部５０、用紙搬送路６０及び読取部７０を備えると共に、装置本体の上部に自動原稿搬送装置８０を搭載している。画像形成装置は、読取部７０を介して原稿から読み取った画像データあるいは図外の外部装置から入力された画像データを用紙に多色又は単色の画像形成処理を行う。読取部７０は、公知のように光源と主走査方向に配置されたフォトラインセンサとを少なくとも備え、原稿に対する主走査方向への１ラインずつの読み取り動作を副走査方向に繰り返し行うことで原稿画像を読み取るものである。
【００１９】
読取部７０は、必要に応じて、副走査方向への読取（スキャン）速度やスキャン時の解像度が段階的に複数種類準備されており、操作パネル部９０（図２参照）を介して所望のスキャン速度が選択可能にされている。操作パネル部９０は、画像形成処理に関する種々の処理の指示、及び処理方法等の指示が設定可能である。指示内容として、本発明において問題となる事項である、例えば画像の読み取りにおける前記スキャン速度や解像度、また印字における主走査方向及び副操作方向に対する変倍率等も含まれる。また、操作パネル部９０は、所定サイズの表示部を備えており、指示内容の確認用として利用される他、例えば印字対象画像の表示、また、図略の通信部を介して外部の情報処理装置等との間で送受信される画像データの確認表示が行われる。
【００２０】
画像形成部１０は、光ビーム走査ユニット１及びそれぞれ同様な構造を有する各色の画像形成部１０Ａ〜１０Ｄを備えている。光ビーム走査ユニット１は、筐体を有し、その内部に色毎に必要な光学部品が配置されている。光ビーム走査ユニット１は、読取部７０で読み取られた、原稿に対応するＲ、Ｇ、Ｂ色の画像データをブラック（Ｋ）、シアン（Ｃ）、マゼンタ（Ｍ）、イエロー（Ｙ）の色情報に変換し、変換後の各色の画像データによって変調されたレーザ光で画像形成部１０Ａ〜１０Ｄの感光体ドラム２Ａ〜２Ｄの表面を軸方向（主走査方向）に沿って露光走査して、それぞれの静電潜像を形成する。代表して説明する画像形成部１０Ａは、感光体ドラム２Ａを備え、その周囲に回転方向（副走査方向）に沿って帯電器３Ａ、現像器４Ａ及びクリーナ部５Ａを備えている。
【００２１】
中間転写部２０は、中間転写ベルト２１、駆動ローラ２２、従動ローラ２３、一次転写ローラ２４Ａ〜２４Ｄを備えて、感光体ドラム２Ａ〜２Ｄの周面に形成されたトナー像を中間転写ベルト２１の表面に一次転写する。二次転写部３０は、中間転写ベルト２１の表面のトナー像を記録用紙へ二次転写する。定着部４０は、記録用紙に転写されたトナー像を加熱して定着し、排紙トレイに排出する。給紙部５０は、給紙カセットや手差しトレイを備えており、選択された記録用紙を、対応する給紙カセットから用紙搬送路６０に給紙する。
【００２２】
画像処理部１００は、図２に示すように、画像入力部の一例としての読取部７０と画像出力部として機能する画像形成部１０との間に設けられている。画像処理部１００は、Ａ／Ｄ変換処理部１０１と、シェーディング補正部１０２と、領域分離処理部１０３と、入力階調補正部１０４と、色補正部１０５と、フィルタ処理部１０６と、出力階調補正部１０７と、中間調処理部１０８とを備えている。また、画像処理部１００は、特徴情報抽出管理部１１１、フィルタ基本情報記憶部１１２及び補正フィルタ係数作成部１１３を有するフィルタ作成部１１０（フィルタ作成装置）を備えている。
【００２３】
Ａ／Ｄ変換処理部１０１は、読取部７０から出力されたＲＧＢアナログ信号をデジタルのＲＧＢ信号に変換する。シェーディング補正部１０２は、Ａ／Ｄ変換処理部１０１から出力されたデジタルのＲＧＢ信号に対して、読取部７０の光源を含む照明系、結像系及び撮像系で生じる各種の歪みを信号レベルの調整によって取り除く処理を実行する。
【００２４】
領域分離処理部１０３は、シェーディング補正部１０２から出力されたＲＧＢ信号から、原稿の画像データを、画素毎に文字領域、網点領域、写真領域等の他の領域に分離する。領域分離処理部１０３は、公知のように領域分離判定のための各閾値を用いて、原稿の画像を画素単位で、例えば文字領域、網点領域、その他の領域として識別する領域分離信号を生成する。なお、領域分離処理部１０３内に、あるいは別途に原稿種別判別機能を備えるようにしてもよい。原稿種別判別機能部は、入力された画像データに対して文字原稿、網点原稿、写真原稿の種別を判別する。全体が文字原稿、網点原稿、又は写真原稿である場合、判別情報は少なくともフィルタ処理部１０６に出力される。以降、本実施形態では、原稿種別及び領域分離信号を合わせて「画像種別情報」という。
【００２５】
入力階調補正部１０４は、領域分離処理部１０３から出力されたＲＧＢ信号に対して、カラーバランスを整えると同時に、必要に応じて濃度信号等をカラーの画像形成装置に採用されている画像処理システムにとって扱いやすい信号に変換する処理を行う。色補正部１０５は、色再現の忠実化実現のために、入力階調補正部１０４から出力されたＲＧＢ信号に対して、不要吸収成分を含むＣＭＹ色材の分光特性に基づいた色濁りを取り除く処理を行って、色補正後のＣＭＹの３色信号を出力する。
【００２６】
フィルタ処理部１０６は、色補正部１０５から出力された画像データに対して、領域分離処理部１０３からの画像種別情報、さらに、後述するような、注目画素近傍の画素データの分布情報及び変倍率等の各種設定値情報（以降、本実施形態では、「特徴情報」という。）の少なくとも一方の情報を基に、デジタルフィルタによる空間周波数特性を補正することによって、鮮鋭度、モアレ及びぼやけ等に対して好適な画像を出力する。フィルタ処理部１０６は、文字領域に関しては、文字の再現性を高めるために高域周波数の強調量を大きくするフィルタ係数を有するデジタルフィルタでエッジ強調処理を施す。また、フィルタ処理部１０６は、網点領域に関しては、入力網点成分を抑制し、またモアレ発生防止を可能にするフィルタ係数を有するデジタルフィルタでの平滑化処理を施す。なお、フィルタ処理部１０６の構成及びフィルタ係数の設定に関しては後述する。
【００２７】
出力階調補正部１０７は、フィルタ処理部１０６から出力された画像データを、画像形成装置にとっての特性値である網点面積率に変換して中間調処理部１０８に出力する。中間調処理部１０８は、入力された画像データを、出力用の印字形式、例えばディザ表現形式等に対応する各階調で再現できるように処理する。そして、中間調処理部１０８から出力された画像データは、画像形成部１０に導かれて画像形成に供される。
【００２８】
フィルタ処理部１０６は、領域分離処理部１０３で判断された網点、文字、また写真等の各種別の画像データに対して再現性の高い空間周波数処理を施す基準フィルタ係数を有する基準フィルタ１０６１（図３参照）を備える。フィルタ基本情報記憶部１１２には、前記画像種別情報、または必要に応じてモアレ低減等を含めての画像種別情報に対応して、基準フィルタ１０６１用の好適な基準フィルタ係数が一種類乃至は数種類だけ予め格納されている。基準フィルタ係数は、領域分離処理部１０３からの画像種別情報に基づいて、また同一領域種別内で複数種類準備されている場合には、それらに対応した画像種別情報を適用して、予めフィルタ基本情報記憶部１１２内に記憶されている。基本情報記憶部１１２から、対応する基準フィルタ係数が選択的に読み出されて、図３に示すフィルタ処理部１０６の基準フィルタ１０６１に設定される。基準フィルタ１０６１は、色補正部１０５を経て入力される画像データに対して基準のデジタルフィルタとして機能する。なお、モアレ低減について、その一部を基準フィルタ１０６１に対応させる態様では、網点種別の画像における線数の範囲を複数種類、例えば２種類に分け、各種類に対してモアレを低減し得る基準フィルタ係数をそれぞれ準備しておき、網点画像から公知の方法で線数を判定すると、該当する側の基準フィルタ係数を選択するようにすればよい。この場合、線数判定は特徴情報抽出管理部１１１で行われ、その情報が基本情報記憶部１１２に送られることになる。
【００２９】
なお、フィルタ基本情報記憶部１１２に記憶される基準フィルタ係数は、通分した値とされ、そのときの分母を除算係数と呼称する。また、基準フィルタ１０６１のサイズは、ここでは、(2*Ma+1)×(2*Na+1)とする。Ma，Naは正の整数である。また、基準フィルタ係数は有理数で設定されており、その合計値は通常、1とする。基準フィルタ係数を配列するマトリックスは、図４（ａ）のとおりである。但し、注目画素をK[0,0]とするとき、ここでは、K[i,j]=K[-i,j]=K[i,-j]=K[-i,-j]が成り立つものとしている。
【００３０】
ところで、画像データは、前記画像種別情報の他に、前述したスキャン速度、解像度及び変倍率等の特徴情報によって出力再現性の影響を受ける。また、文字サイズや前記網点画像のより細かい線数等の特徴情報によっても同様である。
【００３１】
そこで、本発明では、基準フィルタ係数に比べて、より細かい乃至は多様な特徴情報の元でフィルタ係数を作成して、基準フィルタ１０６１による処理を補完するための補正フィルタ１０６２（図２参照）を併用することとした。補正フィルタ１０６２は、主に鮮鋭度・モアレ・ぼやけ等に関してより好適な効果を得る。補正フィルタ１０６２のサイズは、ここでは、(2*Mb+1)×(2*Nb+1)とする。但しMb≧Ma、Nb≧Naとする。補正フィルタ１０６２のサイズを基準フィルタ１０６１に比して同一乃至は大きく設定することで、基準フィルタ１０６１に比べて、より細かい乃至は多様な補完が可能となる。また補正フィルタ係数は有理数で設定されており、その合計値は通常、0である。補正フィルタ係数は、通分された値とされ、そのときの分母を除算係数とするが、その値は基準フィルタ係数と同一である必要はない。但し、基準フィルタ係数と足し合わせる場合は基準フィルタ係数の除算係数に揃える必要がある。補正フィルタ係数を配列するマトリックスは、図４（ｂ）の通りである。但し、注目画素をA[0,0]とするとき、ここでは、A[i,j]=A[-i,j]=A[i,-j]=A[-i,-j]が成り立つものとしている。
【００３２】
補正フィルタ１０６２を使用するための特徴情報として、以下の（Ｉ）〜（ＩＩＩ）を例示することができる。
【００３３】
（Ｉ）変倍率、解像度、モアレ低減等
これらは連続的に設定可能な特徴情報である。これらの設定が連続的に切り替えられることに対応して補正フィルタ係数を連続的に調整設定することが可能となる。また、倍率や解像度、特に縮小の場合は、出力画像に用いられない画素については補正フィルタを省略できる。これらは画像種別情報毎の基準フィルタ係数の種類と共に補正フィルタ係数を使い分けることが可能である。特徴情報抽出管理部１１１は、変倍率及び解像度の特徴情報を操作パネル部９０への操作入力から入手する。特徴情報抽出管理部１１１は、入手した変倍率、解像度及び前述したモアレ低減に対応して、あるいはこれらの特徴情報について設定された所定の範囲毎に対応して、補正フィルタ係数を設定するための各種の補正用パラメータを記憶部１１１１に予め記憶している。なお、関連する基本補正用パラメータは、ここではフィルタ基本情報記憶部１１２に記憶されている。
【００３４】
（ＩＩ）網点（スクリーン）の線数、文字のサイズ等
これらは画素の値の分布によって定まる原稿上の特徴情報である。これらの特徴情報は手動で調整入力することも可能であるが、画素値の分布に基づく原稿の特徴の判定結果に応じて自動で調整することも可能である。これらは画像種別情報毎に基準フィルタ係数の種類と共に補正フィルタ係数を使い分けることが可能である。特徴情報抽出管理部１１１は、線数や文字サイズの特徴情報を領域分離処理部１０３内の、あるいは特徴情報抽出管理部１１１自身に設けられた公知の線数判定機能部、及び文字の立ち上がりエッジと立ち下がりエッジとの画素距離から文字サイズを検出する公知の文字サイズ検出機能部から取得する。特徴情報抽出管理部１１１は、取得した線数、文字サイズに対応して、あるいはこれらの特徴情報について設定された所定の範囲毎に対応して、補正フィルタ係数を設定するための各種の補正用パラメータを記憶している。なお、関連する基本補正用パラメータは、前述したようにフィルタ基本情報記憶部１１２に記憶されている。
【００３５】
（ＩＩＩ）シャープネス
これも連続的に設定可能な特徴情報である。特徴情報抽出管理部１１１は、シャープネスの情報を操作パネル部９０への操作入力から入手する。特徴情報抽出管理部１１１は、入手したシャープネス情報に対応して、あるいは設定された所定の範囲毎に対応して、補正フィルタ係数を設定するための各種パラメータ情報等を記憶している。
【００３６】
なお、シャープネスは、画像種別情報との関係で、補正フィルタ１０６２による処理を不要、すなわち禁止する場合があり、その判断は、他の特徴情報の場合も含めて特徴情報抽出管理部１１１によって行われる。禁止処理は、特徴情報に対応する対応するパラメータの設定がない場合、また画像種別情報と特徴情報との組で対応するパラメータが設定されていない場合に発生する。徴情報抽出管理部１１１が補正を禁止する場合には、基本補正用、補正用パラメータは出力されない。なお、以上の（Ｉ）〜（ＩＩＩ）の特徴情報と、画像種別情報とから設定される基本補正用パラメータ及び補正用パラメータは、主に鮮鋭度・モアレ・ぼやけ等の抑制の観点から、好ましくは経験的乃至は実験的な知見に基づいて設定される。
【００３７】
なお、フィルタ係数を作成する第１実施形態を示す図３において、フィルタ処理部１０６は、基準フィルタ１０６１、補正フィルタ１０６２及び画像合成部１０６３を備えている。基準フィルタ１０６１及び補正フィルタ１０６２には、基準フィルタ係数及び補正フィルタ係数がそれぞれ設定され、色補正部１０５から入力される画像データを並列処理する。基準フィルタ１０６１及び補正フィルタ１０６２でフィルタ処理された両画像データは画像合成部１０６３に入力されて画素単位で合成、すなわち単純乃至は加重平均された後、出力階調補正部１０７に出力される。なお、画像種別情報と特徴情報との組によっては、補正フィルタを使用しない場合もあり、その場合には、基準フィルタ１０６１のみでフィルタ処理が実行され、画像合成部１０６３をそのまま通過するようになっている。
【００３８】
さて、図３に示すように、フィルタ基本情報記憶部１１２は、選択された基準フィルタ係数を基準フィルタ１０６１に読み出し、設定する処理を行う。また、特徴情報抽出管理部１１１は、入力乃至は取得された各種の特徴情報の内容に対応する補正フィルタ係数を作成するための補正用パラメータを記憶部１１１１から補正フィルタ係数作成部１１３に読み出す。フィルタ基本情報記憶部１１２は、また、特徴情報抽出管理部１１１からの特徴情報の内容に対応して基本補正用パラメータを補正フィルタ係数作成部１１３に読み出す。
【００３９】
補正フィルタ係数作成部１１３は、縦補正用パラメータ設定部１１４、横補正用パラメータ設定部１１５、基本補正用パラメータ設定部１１６及び補正フィルタ係数計算部１１７を備えている。補正フィルタ係数作成部１１３を含むフィルタ作成部１１０は、本実施形態では、ＣＰＵ（Central Processing Unit）を内蔵するコンピュータ（マイクロプロセッサ）を備えて構成されている。補正フィルタ係数計算部１１７は、図略の記憶部に記憶されているフィルタ作成プログラムを読み出して実行することで、後述するフィルタ設定処理を行う。
【００４０】
縦補正用パラメータ設定部１１４及び横補正用パラメータ設定部１１５は、前記したように特徴情報抽出管理部１１１からそれぞれ入力される、前述した縦横方向の各補正用パラメータが設定される。フィルタ基本情報記憶部１１２は、入力乃至は取得された各種の特徴情報に対応する補正フィルタ係数を作成するための基本補正用パラメータを記憶しており、特徴情報抽出管理部１１１からの条件の入力を受けて対応する基本補正用パラメータを基本補正用パラメータ設定部１１６に設定する。
【００４１】
図５に、補正フィルタを作成するための基本補正用パラメータ及び縦横の補正用パラメータの一例を図示している。図５に示す枠２００１は、７行７列の補正フィルタのうちの、A[0,0]から縦横方向のA[3,3]までの範囲（図４（ｂ）参照）を示している。このとき、基本補正用パラメータは、K[0,0]から縦横方向のK[1,1]まで（図４（ａ）参照）の画素を含む、網点処理が施された領域２００２（図５（ａ）参照）の各値である。また、補正用パラメータは、枠２００３，２００４内の各数値であって、横方向の周波数Wx[m]，周波数相当Cx[m]、縦方向のWy[n]，Cy[n]をいう。ここでは、m=2,3、n=2,3である。図5（ｂ）は、周波数と強度との関係を示す特性図で、補正なし（すなわち基準フィルタのみ）の特性に比して、補正フィルタを併用することで、補正有りの特性に示すように、低周波数側の強度が抑制されている。これは、基準フィルタ１０６１が例えばエッジ強調フィルタであるとき、このエッジ強調を緩和するべく補正フィルタ１０６２を併用する場合を想定している。例えば、画像の領域種別が地図等の場合であって、基準フィルタ１０６１のみでは、地図の背景領域にモアレが発生するときに、補正フィルタ１０６２を併用して、図５（ｂ）「補正有り」のような特性とすることでモアレの発生を抑制することができる。
【００４２】
また、補正フィルタ係数計算部１１７は、図６のフローチャートに示す計算手順を経て補正フィルタ係数の算出を行う。フィルタ作成部１１０のプロセッサは、補正フィルタ係数計算部１１７等を、フィルタ作成プログラムによって以下の演算処理を実行する演算部として機能させる。
【００４３】
まず、画像種別情報、特徴情報に対応した設定値（各種のパラメータ）の入力の有無が判断され（ステップＳ１）、設定値の入力がなければ、補正フィルタを併用しない（ステップＳ３）として、ステップＳ１９に進む。設定値入力有りと判断されると、入力値の設定が行われる（ステップＳ５）。すなわち、
[１]  まず、補正フィルタ係数の生成に必要な情報として、基準フィルタに関する基本補正用パラメータが参照される。基準フィルタに関するパラメータとして、
縦方向（第一の方向）の周波数（基本周波数）は、
Wx[m]：m=0,…,M0（≦Ma）
であり、例えばWx[m]=2*π/(2*Mb+1)*m
また、周波数相当の変数は、
Cx[m]
であり、例えばcos(2*π*Wx[m])。その場合、とりうる範囲は−１〜１である。
【００４４】
横方向（第二の方向）（第一の方向と直交）の周波数（基本周波数）は、
Wy[n]：n=0,…,N0（≦Na）
であり、例えばWy[n]=2*π/(2*Nb+1)*n
また、周波数相当の変数は、
Cy[n]
であり、例えばcos(2*π*Wy[n])。その場合、とりうる範囲は−１〜１である。
【００４５】
さらに、Wx[m]またはCx[m]（0≦m≦M0）、及びWy[n]またはCy[n]（0≦n≦N0）における基準フィルタの強度F[m,n]（基本強度）を要素とする行列Fは、
F=Gx*K*Gy      …(1)
として得られる。但し、Kは基準フィルタのm=0〜Ma,Nn=0〜Naの係数から成るサイズ(Ma+1)×(Na+1)の行列、Gxはサイズ(M0+1)×(Ma+1)の行列、Gyはサイズ(Na+1)×(N0+1)の行列である。そして、要素が以下の通りなら、基準フィルタの離散Fourier変換に対応する。すなわち、
G[m,m']=cos(2*π*m*m'/Mb)       m'=0
2*cos(2*π*m*m'/Mb)    m'≠0
となる。但し、上記の要素は有理数で近似して使うことも可能である。変換結果を、補正フィルタ係数計算部１１７内の記憶部に格納する際には、計算によって得られる値を分数で近似したもの、または離散Fourier変換に用いるcos関数を有理数で近似して離散Fourier変換したものを用いることができる。なお、[m,n]=[0,0]のみ、すなわち直流成分のみでも可能である。
【００４６】
[２]  続いて、補正フィルタに関する補正用パラメータとして、
縦方向（第一の方向）の周波数相当の変数（補正周波数）は、
Cx[m]：m=M0+1,…,M0+M1（＝Mb）
であり、取りうる値は−１〜１以外も可能である。
【００４７】
また、周波数は、
Wx[m]
であり、Cx[m]が−１〜１の場合は、例えばWx[m]=acos(Cx[m])。その場合のWx[m]は、例えばWx[m]=2*π/(2*Mb+1)*m。また、Cx[m]は補正フィルタのサイズ毎に1種類に固定、もしくは数種類から１種類を選択する程度で十分である。
【００４８】
横方向（第二の方向）（第一の方向と直交）の周波数相当の変数（補正周波数）は、
Cy[n]：n=N0+1,…,N0+N1（＝Nb)
であり、取りうる値は−１〜１以外も可能である。
【００４９】
また、周波数は、
Wy[n]
であり、Cy[n]が−１〜１の場合は、例えばWy[n]=acos(Cy[n])。その場合のWy[n]は、例えばWy[n]=2*π/(2*Nb+1)*n。また、Cy[n]は補正フィルタのサイズ毎に1種類に固定、もしくは数種類から1種類を選択する程度で十分である。
【００５０】
さらに、Cx[m]（M0+1≦m≦M0+M1）、又はCy[n](N0+1≦n≦N0+N1）における補正フィルタの強度F[m,n]（補正強度）の値は、変倍率や線数等に応じて任意に設定でき、あるいは変倍率、線数等に応じて値が選択される態様としてもよい。例えば、F[m,n]の値を固定し（例えば全て0に固定）、Cx[m]、Cy[n]を変倍率や線数等に応じて調整することが考えられる。
【００５１】
（ステップＳ７の処理）
[３]  補正フィルタ生成の手順
以下の演算手順は、基本的にニュートン補間の応用である。
【００５２】
[Ａ]  第一の方向について補正フィルタを生成する場合
１：Cx[m]を用いて、m'次多項式px[m'](x)(m'=0,…,Mb）を生成する。すなわち、
px[m'](x)=(x-Cx[0])*…*(x-Cx[m'-1])=x^m'+px[m',1]*(x^m'-1)+…+px[m',m'-2]*x+px[m',m'-1]      …(2)
この多項式の係数px[m',i]は、解と係数との関係により、Cx[m]のみによって決まる。
【００５３】
（ステップＳ９の処理）
２：多項式px[m'](x)の係数px[m',i]を用いて、サイズ(Mb+1)×(Mb+1)の行列Pxを作成する。Pxの作り方は、例えば下式の通りである。すなわち、
Px=(T^-1)*[[1,0,…,0]^t,[px[1,0],1,0,…,0]^t,…,[px[Mb,0],…,px[Mb,Mb-1],1]^t]    …(3)
なお、^tは転置、^-1は逆行列を示す。
【００５４】
次に、Tはサイズ(M0+1)×(2*M0+1)の行列であり、その要素は例えば以下の通りにして得られる。サイズ(M0+1)×(M0+1)の行列T0の要素を、(4)式（数１）のように設定する。すなわち、
【００５５】
【数１】
2016054457.tif 000003
【００５６】
行列PxはCx[m]（0≦m≦M0)のみによって定まり、予め演算した結果を記憶部に格納できる。
【００５７】
（ステップＳ１１の処理）
３：強度F[m,n]及びCx[m]を用いてサイズ(Mb+1)×(Mb+1)の行列D0を生成する。生成方法は、例えば(5)式（数２）の通りである。すなわち、
【００５８】
【数２】
2016054457.tif 000004
【００５９】
ここで、F(1)，F(2)，…，F(k)の演算を順に行って行列Fを変換し、最後に得られる行列がD0に相当する。
【００６０】
（ステップＳ１３の処理）
４：D1，Pxを用いて、下式によってAを算出する。これに、省略されていた軸対称成分を加えると補正フィルタとなる。すなわち、
A=a*Px*D1 …(6)
但し、aは任意の数（有理数の形式）である。低周波数の強度を維持する場合、a=1とする。aはシャープネスの調整のために使うこともでき、その場合は低周波数の強度そのものを調整することになる。また、D1の要素は、(7)式（数３）の通りである。
【００６１】
【数３】
2016054457.tif 000005
【００６２】
（ステップＳ１５の処理）
５：補正フィルタと基準フィルタを１つのフィルタに合成する場合に必要な処理である。この場合は、基準フィルタをその除算係数で割ったものに補正フィルタを加えた上で適当な整数を乗じて四捨五入する（合成する）。その場合、新たな除算係数は適当な整数をそのまま使ってもよいが、新たなフィルタ係数の総和の方が濃度変化の抑制が見られるため好適となる。なお、補正フィルタと基準フィルタを１つのフィルタに合成せず、個別にフィルタ処理を実行し、処理結果を足し合わせる態様でもよい。
【００６３】
[Ｂ]  第２の方向のみに対する補正フィルタを生成する場合には、Cx[m]をCy[n]に、行を列に変えて前記[Ａ]と同様に処理すればよい。さらに、
[Ｃ]  第１、第２の方向に対する補正フィルタを生成する場合には、まず第１の方向について[Ａ]の処理を行い、次いで第２の方向について[Ｂ]の処理を行う。なお、その順序は逆でもよい。
【００６４】
ここで、第２実施形態（ステップＳ１５）としてのフィルタ合成の態様について図７を参照して説明する。補正フィルタ係数作成部１１３ａは、フィルタ合成部１１８を備えている。フィルタ合成部１１８は、フィルタ基本情報記憶部１１２から入力される基準フィルタ係数と、補正フィルタ係数計算部１１７で算出される補正フィルタ係数とを合成する。合成後のフィルタ係数は、フィルタ処理部１０６に設定される。
【００６５】
（ステップＳ１７の処理）
各フィルタ係数は、合成の場合（ステップＳ１５）には、合成後のフィルタ係数がフィルタ合成部１１８からフィルタ処理部１０６に設定され、個別処理の場合には、各フィルタ係数は各フィルタ１０６１，１０６２に設定される。
【００６６】
（ステップＳ１９の処理）
次いで、新たな画像種別情報、特徴情報が入力されたか否かが判断される。新たな情報の入力がなければ、ステップＳ２１に進む。一方、新たな情報が入力されたのであれば、ステップＳ１に戻って、同様な処理が繰り返される。
【００６７】
（ステップＳ２１の処理）
画像データの出力処理が終了したか否かの判断が行われ、出力処理が終了したのであれば本フローを終了し、そうでなければ、ステップＳ１９に戻る。
【００６８】
続いて、実施例について説明する。図８は、横軸に周波数（図８（ａ））、周波数相当（図８（ｂ））を示し、縦軸に強度を示すフィルタ特性図で、補正なし（基準フィルタのみ）の場合、補正フィルタ併用で「補正小」の場合、補正フィルタ併用で「補正大」なお、図８（ｂ）において、マーク△は、補正小とする場合における特性変更を指示した位置を示し、マーク×は、補正大とする場合における特性変更を指示した位置を示している。
【００６９】
実施例は、実施例１〜４を有する。実施例１，２は、画像種別情報に応じたフィルタ補正に関するもので、画像が地図である場合の、背景に発生するモアレ、及び文字のぼやけの抑制処理を、（実施例１）個別にフィルタ処理した後に合成する場合と、（実施例２）合成フィルタを使用した場合で行ったものである。
【００７０】
実施例３，４は、あるサイズ、例えば９級サイズの文字、ここでは漢字に対してある倍率（縮小）した場合のフィルタ補正に関するもので、文字及び線（例えば縦線）のぼやけ抑制処理を、（実施例３）個別にフィルタ処理した後に合成する場合と、（実施例４）合成フィルタを使用した場合で行ったものである。なお、実施例３，４では、「補正小」の場合と、「補正大」の場合の処理もさらに含む。
【００７１】
＜実施例１，２＞
図９（ａ）に３行３列の基準フィルタ（この例では、強調フィルタ）を示す。行列内の各値は基準フィルタ係数の一例を示している。図９（ｂ）は、そのKの行列である。図９（ｃ）は、(1)式におけるＧx，Ｇyの行列である。これらの値から、基本強度Ｆが、図９（ｄ）のように算出される。なお、このときの第１、第２の方向すなわち縦横方向の周波数及び周波数相当であるＷx，Ｗy，Ｃx，Ｃyは、図９（ｅ）に示すとおりである。
【００７２】
ここで、基準フィルタのみでフィルタ処理する場合は、補正フィルタの係数は全て０であるため、合成後のフィルタは基準フィルタと同一であり、実施例１と実施例２とでフィルタ処理後の画像に違いは見られない。すなわち、画像の背景にモアレが発生している。
【００７３】
次に、図１０〜図１３は、図９に対して「補正小」を施す場合の補正フィルタ係数の算出例を示す。図１０（ａ）は、図９（ａ）と併用される７行７列の場合の補正フィルタの補正強度Ｆを示す。図１０（ｂ）は、縦横方向の周波数及び周波数相当値Ｗx，Ｗy，Ｃx，Ｃyである。なお、図１０（ａ）（ｂ）において、小枠内の各値が基本補正用パラメータであり、それ以外が補正用パラメータである。
【００７４】
図１１（ａ）は、(3)式で用いる行列Ｔであって、(4)式で算出される各要素及びその逆行列の結果を示している。図１１（ｂ）は、第１、第２の方向（縦横方向）の周波数、周波数相当を示している。
【００７５】
以上の情報を用いて、図１２〜図１３の演算が実行される。まず、図１２に示すように、
１：（2）式に、Cx[m]が適用されて、m'次多項式px[m'](x)(m'=0,…,Mb）の各係数が生成される。次いで、
２：（3）式に、多項式px[m'](x)の係数px[m',i]が適用されて、サイズ(Mb+1)×(Mb+1)の行列Pxの各係数が作成される。次いで、
３：（5）式に、強度F[m,n]及びCx[m]が適用されて、サイズ(Mb+1)×(Mb+1)の行列D0が生成される。図12に示す行列は、式（5）を行列で表したものであり、左側の各行列は、右上の行列に左から乗じることによって右隣の行列になり、F(3)の演算の行の右側の行列がD0に相当する。例えばF(1)でいえば、対角要素の左隣りにある0でない値（例えば2行1列の2.66）は、式(5)でF[i-1,j]に乗じられる1/(Cx[i]-Cx[i+1])に相当し、その右隣りの絶対値が同じで符号のみ異なる値（例えば2行2列の-2.66）は、式(5) でF[i,j]に乗じられる、-1/(Cx[i]-Cx[i+1])に相当する。
【００７６】
４：（6）式に、D1，Pxが適用されて、Aが算出される。なお、その結果に、省略されていた軸対称成分を加えることで補正フィルタとなる。ところで、D1の要素は、(7)式（数３）によって、図１３の行列D1のように算出される。この行列D1の値を用いて、行列Aが、図１３のように算出される。さらに、図１３中に示すように、補正フィルタ係数ＨＦｉが得られる。一方、
５：補正フィルタと基準フィルタを１つのフィルタに合成する場合（基準＋補正）は、基準フィルタをその除算係数で割ったものに補正フィルタを加えた上で適当な整数を乗じて四捨五入して、図１３に示す合成フィルタＧＦｉが得られる。
【００７７】
この場合、実施例１では、背景のモアレは消滅し、文字のぼやけもなくなった。一方、実施例２では、網点領域の場合には、実施例１と同様の効果が得られたが、他の領域の場合では、背景のモアレは消滅したものの、文字のぼやけは抑制されていない。なお、個別にフィルタ処理し、その結果を足し合わせる場合と、合成したフィルタで処理した場合とでは、演算は数学的には同じ結果を与える。現実の処理においては両者の差は、小数点以下や画素値の上限・下限の丸め等に由来する程度でしかない。
【００７８】
＜実施例３，４＞
実施例３，４は、文字の倍率を３０％、３７％のような所定値に縮小した場合の画像に対して同様の処理を行った。「補正なし」では、前記実施例１，２と同様の基準フィルタを採用した。結果は、実施例３，４の倍率３０％、３７％のいずれにおいても「文字に含まれる線が所々薄れたり消えたりする」であった。
【００７９】
次に、実施例１，２と同様の補正フィルタを適用してみた。すなわち、図１０〜図１３と同様の処理によって作成されている。このときの補正フィルタを「補正小」用（図８参照）とした。
【００８０】
結果は、実施例３の倍率３０％では「文字に含まれる縦線等がぼやけている」とあり、倍率３７％では「ぼやけは目立たない」であった。また、実施例４の倍率３０％では「縦線等がぼやけている」とあり、倍率３７％では「文字に含まれる縦線等がぼやけている」であった。従って、「補正なし」の場合に比して一定の改善が見られたことが分かる。
【００８１】
次に、図１４〜図１６は、「補正大」の場合の補正フィルタ係数の算出例を示す。図１４（ａ）は、図９（ａ）と併用される７行７列の場合の補正フィルタの補正強度Ｆを示す。図１４（ｂ）は、縦横方向の周波数及び周波数相当値Ｗx，Ｗy，Ｃx，Ｃyである。なお、図１４（ａ）（ｂ）において、小枠内の各値が基本補正用パラメータであり、それ以外が補正用パラメータである。
【００８２】
図１１、図１４の情報を用いて、図１５〜図１６の演算が実行される。まず、図１５に示すように、
１：（2）式に、Cx[m]が適用されて、m'次多項式px[m'](x)(m'=0,…,Mb）の各係数が生成される。次いで、
２：（3）式に、多項式px[m'](x)の係数px[m',i]が適用されて、サイズ(Mb+1)×(Mb+1)の行列Pxの各係数が作成される。次いで、
３：（5）式に、強度F[m,n]及びCx[m]が適用されて、サイズ(Mb+1)×(Mb+1)の行列D0が生成される。計算方法は、図１２の場合と同様である。次いで、
４：（6）式に、D1，Pxが適用されて、Aが算出される。なお、その結果に、省略されていた軸対称成分を加えることで補正フィルタとなる。ところで、D1の要素は、(7)式（数３）によって、図１６の行列D1のように算出される。この行列D1の値を用いて、行列Aが、図１６のように算出される。さらに、図１６中に示すように、補正フィルタ係数ＨＦｉが得られる。一方、
５：補正フィルタと基準フィルタを１つのフィルタに合成する場合（基準＋補正）は、基準フィルタをその除算係数で割ったものに補正フィルタを加えた上で適当な整数を乗じて四捨五入して、図１６に示す合成フィルタＧＦｉが得られる。
【００８３】
結果は、実施例３，４共に、倍率３０％では「文字に含まれる縦線等が見やすくなっている」とあり、倍率３７％では「線がより明確になっている」であった。従って、「補正小」の場合に比してさらに改善されたことが分かる。
【００８４】
次に、図１７について説明する。図９では、基準フィルタとして３行３列のフィルタを採用したが、これに限定されず、補正フィルタが仮に７行７列の場合、それ以下のサイズであれば、５行５列でもよいし、図１７（ａ）に示すように７行７列でもよい。図１７では、縦横方向に同一のフィルタ係数を設定している。図１７（ｂ）は(1)式におけるｋの行列、図１７（ｃ）は(1)式におけるＧx，Ｇyの行列である。これらの値から、基本強度Ｆが図１７（ｄ）の通り算出される。なお、このときの第１、第２の方向すなわち縦横方向の周波数及び周波数相当であるＷx，Ｗy，Ｃx，Ｃyは、図１７（ｅ）に示すとおりである。
【００８５】
なお、画像出力の種類としては、記録用紙への印字の他、外部の情報処理装置への送受信、操作パネル部９０への表示があり、本発明は、これらの各態様にも適用可能である。特に画面上の表示については、画面は、印字や送信時の出力倍率とは別に表示倍率を操作した場合に、そのいずれの倍率においても倍率毎に算出された補正フィルタによって最適な表示が行われることが望まれる。また、表示画面上で印字や送信時の設定を操作したり、確認したりすることができ、その操作時の設定を印字や送信の出力に反映できる。表示倍率と出力時の倍率は、表示画面の大きさが出力物より小さいため、一般には一致しないが、補正フィルタを作る際には表示倍率と出力倍率との違いを考慮して各々の補正フィルタを生成することが可能となる。
【００８６】
また、第１実施形態では、画像種別情報、特徴情報を抽出して、実質的にはリアルタイムで補正フィルタ係数を作成し適用するようにしたが、これに代えて、第３実施形態として、直前の領域分離処理等において、前記の各情報を抽出し、かつ補正の有無、及び補正フィルタの係数を作成し、記録部に一時的に保管する等してフィルタ処理に適用するようにしてもよい。
【００８７】
また、第１実施形態では図６に示すソフトウェアによって処理する態様で説明したが、これに代えて、第４実施形態として、フィルタ作成部１１０（または補正フィルタ係数作成部１１３，１１３ａ）の構成の一部又は全部をハードウェア回路で構成して、より高速処理を実現するようにしてもよい。
【００８８】
また、上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味及び範囲内でのすべての変更が含まれることが意図される。
【符号の説明】
【００８９】
１０３  領域分離処理部
１０６  フィルタ処理部
１０６１  基準フィルタ
１０６２  補正フィルタ
１０６３  画像合成部（画像合成手段）
１１０  フィルタ作成部（フィルタ作成装置）
１１１  特徴情報抽出管理部（抽出手段、設定手段）
１１１１  記憶部（設定手段）
１１２  フィルタ基本情報記憶部（設定手段）
１１３，１１３ａ  補正フィルタ係数作成部
１１４  縦調整変数設定部（設定部）
１１５  横調整変数設定部（設定部）
１１６  基本補正変数設定部（設定部）
１１７  補正フィルタ係数計算部（補正フィルタ係数計算手段）
１１８  フィルタ合成部（フィルタ合成手段）
【図１】
2016054457.tif 000006
【図２】
2016054457.tif 000007
【図３】
2016054457.tif 000008
【図４】
2016054457.tif 000009
【図６】
2016054457.tif 000010
【図７】
2016054457.tif 000011
【図８】
2016054457.tif 000012
【図９】
2016054457.tif 000013
【図１０】
2016054457.tif 000014
【図１１】
2016054457.tif 000015
【図１２】
2016054457.tif 000016
【図１３】
2016054457.tif 000017
【図１４】
2016054457.tif 000018
【図１５】
2016054457.tif 000019
【図１６】
2016054457.tif 000020
【図１７】
2016054457.tif 000021
【図５】
2016054457.tif 000022